(57)【要約】【課題】ユーザの居る場所において必要な情報または有用な情報を容易に取得でき、異なる情報を送信する複数の送信装置を高密度に配置可能な情報提供システムを提供する。【解決手段】水族館の水槽（３Ａ，３Ｂ）ごとに送信装置（Ｓ１）を壁（２）に配置し、水槽手前の床（１）に送信アンテナ（１２）を配設する。受信装置（Ｒ１）を携帯するユーザ（Ｍ）が水槽（３Ａ）の前に立つと、送信装置（Ｓ１）から受信装置（Ｒ１）へ人体通信によりデータ伝送が行われ、受信装置（Ｒ１）は、水槽（３Ａ）の展示内容に関する情報データを再生情報記憶部から抽出し、再生部で再生する。ユーザ（Ｍ）が別の水槽（３Ｂ）の前へ移動すると、受信装置（Ｒ１）は別の指示データを受信し、水槽（３Ｂ）に関する情報データを再生する。送信アンテナ（１２）の区画を明確にしておけば、送信装置（Ｓ１）の設置密度を高めて、詳細で緻密な情報提供が可能となる。【選択図】    図２
2014057262.tif 000002
【特許請求の範囲】
【請求項１】
送信アンテナ、再生すべき情報データを特定するための指示データを記憶する指示データ記憶部、および、該指示データを含む信号を送信アンテナから送信する送信部を有し、あらかじめ定められた複数の場所に設置される複数の送信装置であって、前記指示データ記憶部に記憶される指示データが互いに異なっている複数の送信装置と、
受信アンテナ、該受信アンテナを通じて前記指示データを含む信号を受信する受信部、再生される候補となる複数の情報データを記憶する再生情報記憶部、受信した前記指示データによって特定される情報データを前記再生情報記憶部から抽出する制御部、および、該抽出された情報データを音声または画像に変換して再生する再生部を有する受信装置とを含み、
前記送信装置と前記受信装置とは、前記送信装置から前記受信装置へ、生体を介して、前記指示データを含む信号の伝送が可能に構成されていることを特徴とする情報提供システム。
【請求項２】
送信アンテナ、情報データを記憶する情報データ記憶部、および、前記情報データを含む信号を前記送信アンテナから送信する送信部を有し、あらかじめ定められた複数の場所に設置される複数の送信装置であって、前記情報データ記憶部に記憶される情報データが互いに異なっている複数の送信装置と、
受信アンテナ、該受信アンテナを通じて前記情報データを含む信号を受信する受信部、および、受信した前記情報データを音声または画像に変換して再生する再生部を有する受信装置とを含み、
前記送信装置と前記受信装置とは、前記送信装置から前記受信装置へ、生体を介して、前記情報データを含む信号の伝送が可能に構成されていることを特徴とする情報提供システム。
【請求項３】
前記複数の送信装置は、複数の展示物に対応させて１つずつ設置され、前記複数の送信装置の各送信アンテナは、前記複数の送信装置それぞれに対応する展示物の近傍の床または該展示物の近傍の構造物に配設されていることを特徴とする請求項１または２に記載の情報提供システム。
【請求項４】
送信アンテナ、再生すべき情報データを特定するための指示データを記憶する指示データ記憶部、および、該指示データを含む信号を送信アンテナから送信する送信部を有し、あらかじめ定められた複数の場所に設置される複数の送信装置であって、前記指示データ記憶部に記憶される指示データが互いに異なっている複数の送信装置と、
受信アンテナ、該受信アンテナを通じて前記指示データを含む信号を受信する受信部、再生される候補となる複数の情報データを記憶する再生情報記憶部、受信した前記指示データによって特定される情報データを前記再生情報記憶部から抽出する制御部、および、該抽出された情報データを音声または画像に変換して再生する再生部を有する受信装置とを含み、
前記送信装置と前記受信装置とは、前記送信装置から前記受信装置へ、近接通信方式によって、前記情報データを含む信号の伝送が可能に構成されていることを特徴とする情報提供システム。
【請求項５】
送信アンテナ、情報データを記憶する情報データ記憶部、および、前記情報データを含む信号を前記送信アンテナから送信する送信部を有し、あらかじめ定められた複数の場所に設置される複数の送信装置であって、前記情報データ記憶部に記憶される情報データが互いに異なっている複数の送信装置と、
受信アンテナ、該受信アンテナを通じて前記情報データを含む信号を受信する受信部、および、受信した前記情報データを音声または画像に変換して再生する再生部を有する受信装置とを含み、
前記送信装置と前記受信装置とは、前記送信装置から前記受信装置へ、近接通信方式によって、前記情報データを含む信号の伝送が可能に構成されていることを特徴とする情報提供システム。
【請求項６】
前記受信装置は、ユーザが携帯可能であることを特徴とする請求項１〜５のいずれかに記載の情報提供システム。
【発明の詳細な説明】
【技術分野】
【０００１】
本発明は、たとえば美術館の展示物に関する情報などを、ユーザに提供するための情報提供システムに関する。
【背景技術】
【０００２】
美術館や博物館などにおいて、携帯端末装置を用いて、鑑賞者に対し展示物に関する情報を提供するガイダンスシステムが利用されている。このようなガイダンスシステムを構築するための技術の一例として、特許文献１に、複数の展示物の情報を配信するための情報配信システムが記載されている。この情報配信システムは、各展示物の近傍に設けられ、ネットワーク通信で接続されたオブジェクトサーバ、コンテンツサーバ、およびセッションサーバと、携帯電話装置やＰＤＡ（Personal Digital Assistants）などのユーザ装置とから構成される。そして、ユーザ装置から、情報を得たいと希望する展示物のオブジェクトサーバに向かって、赤外線などの近接指向性電磁波によりセッションキーを送信すると、オブジェクトサーバとセッションサーバとコンテンツサーバとの間で、セッションキー、サーバＩＤおよび時刻を受け渡しすることにより、「その場所だけ」かつ「その時だけ」利用できる情報コンテンツを、ユーザ装置に対し、セキュリティ性高く且つスピーディに配信することができる、とされている。
【先行技術文献】
【特許文献】
【０００３】
【特許文献１】特開２００７―２４９６９７号公報
【発明の概要】
【発明が解決しようとする課題】
【０００４】
特許文献１に記載の従来技術は、目的とする情報をユーザ装置が取得するのに、セッションキーとサーバＩＤと時刻との三つ組データを必須としており、いずれも欠けることができない。このため、システムの構成が複雑であり、また内部処理も煩雑になるという欠点がある。
【０００５】
本発明は、簡単な構成でありながら、ユーザの居る場所において必要な情報または有用な情報を、ユーザが容易に取得することができるとともに、互いに異なる情報を送信する複数の送信装置を高密度に配置することが可能な情報提供システムの提供を目的とする。
【課題を解決するための手段】
【０００６】
本発明は、送信アンテナ、再生すべき情報データを特定するための指示データを記憶する指示データ記憶部、および、該指示データを含む信号を送信アンテナから送信する送信部を有し、あらかじめ定められた複数の場所に設置される複数の送信装置であって、前記指示データ記憶部に記憶される指示データが互いに異なっている複数の送信装置と、
受信アンテナ、該受信アンテナを通じて前記指示データを含む信号を受信する受信部、再生される候補となる複数の情報データを記憶する再生情報記憶部、受信した前記指示データによって特定される情報データを前記再生情報記憶部から抽出する制御部、および、該抽出された情報データを音声または画像に変換して再生する再生部を有する受信装置とを含み、
前記送信装置と前記受信装置とは、前記送信装置から前記受信装置へ、生体を介して、前記指示データを含む信号の伝送が可能に構成されていることを特徴とする情報提供システムである。
【０００７】
また本発明は、送信アンテナ、情報データを記憶する情報データ記憶部、および、前記情報データを含む信号を前記送信アンテナから送信する送信部を有し、あらかじめ定められた複数の場所に設置される複数の送信装置であって、前記情報データ記憶部に記憶される情報データが互いに異なっている複数の送信装置と、
受信アンテナ、該受信アンテナを通じて前記情報データを含む信号を受信する受信部、および、受信した前記情報データを音声または画像に変換して再生する再生部を有する受信装置とを含み、
前記送信装置と前記受信装置とは、前記送信装置から前記受信装置へ、生体を介して、前記情報データを含む信号の伝送が可能に構成されていることを特徴とする情報提供システムである。
【０００８】
また本発明は、前記複数の送信装置が、複数の展示物に対応させて１つずつ設置され、前記複数の送信装置の各送信アンテナは、前記複数の送信装置それぞれに対応する展示物の近傍の床または該展示物の近傍の構造物に配設されていることを特徴とする。
【０００９】
また本発明は、送信アンテナ、再生すべき情報データを特定するための指示データを記憶する指示データ記憶部、および、該指示データを含む信号を送信アンテナから送信する送信部を有し、あらかじめ定められた複数の場所に設置される複数の送信装置であって、前記指示データ記憶部に記憶される指示データが互いに異なっている複数の送信装置と、
受信アンテナ、該受信アンテナを通じて前記指示データを含む信号を受信する受信部、再生される候補となる複数の情報データを記憶する再生情報記憶部、受信した前記指示データによって特定される情報データを前記再生情報記憶部から抽出する制御部、および、該抽出された情報データを音声または画像に変換して再生する再生部を有する受信装置とを含み、
前記送信装置と前記受信装置とは、前記送信装置から前記受信装置へ、近接通信方式によって、前記情報データを含む信号の伝送が可能に構成されていることを特徴とする情報提供システムである。
【００１０】
また本発明は、送信アンテナ、情報データを記憶する情報データ記憶部、および、前記情報データを含む信号を前記送信アンテナから送信する送信部を有し、あらかじめ定められた複数の場所に設置される複数の送信装置であって、前記情報データ記憶部に記憶される情報データが互いに異なっている複数の送信装置と、
受信アンテナ、該受信アンテナを通じて前記情報データを含む信号を受信する受信部、および、受信した前記情報データを音声または画像に変換して再生する再生部を有する受信装置とを含み、
前記送信装置と前記受信装置とは、前記送信装置から前記受信装置へ、近接通信方式によって、前記情報データを含む信号の伝送が可能に構成されていることを特徴とする情報提供システムである。
【００１１】
また本発明は、前記受信装置が、ユーザが携帯可能であることを特徴とする。
【発明の効果】
【００１２】
本発明によれば、送信装置から受信装置へ、指示データを含む信号が、生体を介して伝送される。すなわち、生体であるユーザが、送信アンテナと受信アンテナとに接触することにより、指示データが送信装置から受信装置に送信され、受信装置は、受信した指示データによって特定される情報データを再生情報記憶部から抽出し、抽出した情報データを再生部で音声または画像に変換して再生する。また、指示データが特定する情報データは、複数の送信装置ごとに異なっている。よって、ユーザがどの送信装置の送信アンテナに接触するかにより、再生される情報が決定される。すなわち、ユーザが接触する送信アンテナを選択するだけで、目的とする情報を再生させることが可能であるから、受信装置においてユーザが再生すべき情報を選択する操作が不要になる。また受信装置は、ユーザが送信アンテナに接触している送信装置以外の送信装置から指示データを受信することがないから、送信アンテナどうしの区画を明確にしておけば、複数の送信装置を高密度に配置することが可能であり、限られたスペース内で、多種類の情報を、錯綜することなく再生させることが可能となる。
【００１３】
また本発明によれば、送信装置から受信装置へ、情報データを含む信号が、生体を介して伝送される。すなわち、生体であるユーザが送信アンテナと受信アンテナとに接触することにより、情報データが送信装置から受信装置に送信され、受信装置は、受信した情報データを再生部で音声または画像に変換して再生する。また、情報データは、複数の送信装置ごとに異なっている。よって、ユーザがどの送信装置の送信アンテナに接触するかによって、再生される情報が決定される。すなわち、ユーザが接触する送信アンテナを選択するだけで、目的とする情報を再生させることが可能であるから、受信装置においてユーザが再生すべき情報を選択する操作が不要になる。また、受信装置は、ユーザが送信アンテナに接触している送信装置以外の送信装置から情報データを受信することがないから、送信アンテナどうしの区画を明確にしておけば、複数の送信装置を高密度に配置することが可能であり、限られたスペース内で、多種類の情報を、錯綜することなく再生させることが可能となる。
【００１４】
また本発明によれば、たとえば美術館や博物館などにおいて、複数の展示物に対応させて１つずつ送信装置を設置し、各送信装置の送信アンテナを、それぞれに対応する展示物の近傍の床または該展示物の近傍の構造物に配設するので、受信装置を所持するユーザが、送信アンテナが配設された床に起立するだけで、あるいは送信アンテナが配設された構造物に触れるだけで、受信装置が、近傍に位置する展示物に関する情報を再生する。よってユーザは、情報選択の作業を行わずに、展示物に関する情報を取得することができるから、ユーザの負担が少ない有用なガイダンスシステムを提供できる。
【００１５】
また本発明によれば、送信装置から受信装置へ、指示データを含む信号が、近接通信手段により伝送される。すなわち、ユーザが、送信アンテナと受信アンテナとを近接させることにより、指示データが送信装置から受信装置に送信され、受信装置は、受信した指示データによって特定される情報データを再生情報記憶部から抽出し、抽出した情報データを再生部で音声または画像に変換して再生する。また、指示データが特定する情報データは、複数の送信装置ごとに異なっている。よって、ユーザがどの送信装置の送信アンテナに受信アンテナを近接させるかによって、再生される情報が決定されるため、ユーザが受信装置において再生情報を選択する操作が不要になる。また、受信装置は、受信アンテナを近接させた送信アンテナが接続されている送信装置以外の送信装置から、指示データを受信することがないから、複数の送信装置を高密度に配置することが可能であり、限られたスペース内で、多種類の情報を、錯綜することなく再生させることが可能となる。
【００１６】
また本発明によれば、送信装置から受信装置へ、情報データを含む信号が、近接通信手段により伝送される。すなわち、ユーザが、送信アンテナと受信アンテナとを近接させることにより、情報データが送信装置から受信装置に送信され、受信装置は、受信した情報データを音声または画像に変換して再生する。また、情報データは複数の送信装置ごとに異なっている。よって、ユーザがどの送信装置の送信アンテナに受信アンテナを近接させるかによって、再生される情報が決定されるため、ユーザが受信装置に対し再生情報を選択する操作が不要になる。また、受信装置は、受信アンテナを近接させた送信アンテナが接続されている送信装置以外の送信装置から、情報データを受信することがないから、複数の送信装置を高密度に配置することが可能であり、限られたスペース内で、多種類の情報を、錯綜することなく再生させることが可能となる。
【００１７】
また本発明によれば、受信装置をユーザが携帯可能としたので、ユーザは、受信装置を携帯して送信アンテナの配設箇所へ移動するだけで、または移動先で近接通信を行うだけで、その場所で必要とされる情報、または、その場所において有用な情報を、容易に取得することができる。
【図面の簡単な説明】
【００１８】
【図１】本発明の第１の実施形態に係る情報提供システムＦ１の概略構成を示すブロック図である。
【図２】本発明の第１の実施形態に係る情報提供システムＦ１を、水族館のガイダンスシステムに適用した状況を示す斜視図である。
【図３】本発明の第２の実施形態に係る情報提供システムＦ２を、美術館のガイダンスシステムに適用した状況を示す斜視図である。
【図４】本発明の第３の実施形態に係る情報提供システムＦ３の概略構成を示すブロック図である。
【図５】本発明の第４の実施形態に係る情報提供システムＦ４の概略構成を示すブロック図である。
【図６Ａ】本発明の第５の実施形態に係る情報提供システムＦ５を、美術館のガイダンスシステムに適用した状況を示す斜視図である。
【図６Ｂ】本発明の第５の実施形態に係る情報提供システムＦ５の主要部の構成を示す概略図である。
【発明を実施するための形態】
【００１９】
（第１の実施形態）
図１は、本発明の第１の実施形態に係る情報提供システムＦ１の概略構成を示すブロック図である。本実施形態の情報提供システムＦ１は、制御部１０、送信部１１、送信アンテナ１２、および、指示データ記憶部１３を有する送信装置Ｓ１と、制御部２０、受信部２１、受信アンテナ２２、再生部２３、および、再生情報記憶部２４を有する受信装置Ｒ１とを含んで成る。
【００２０】
送信装置Ｓ１は、大きさ、形状、設置場所について特に制限はなく、実施の状況に応じ、適宜決定することが可能である。但し、送信アンテナ１２については、床１や手すり５などの、ユーザが容易に接触可能な場所に配設する（図２、図３参照）。
【００２１】
送信装置Ｓ１の指示データ記憶部１３は、受信装置Ｒ１で再生すべき情報データを特定するための指示データを記憶するものである。記憶する指示データの個数は、１つであってもよいが、複数の指示データを記憶し、制御部１０が、そのうちから、あらかじめ指定した指示データを取り出して送信するように構成してもよい。
【００２２】
制御部１０は、指示データ記憶部１３から指示データを取り出して、送信部１１へ出力する。なお、制御部１０は、受信装置Ｒ１と通信可能な状態であるかどうかを判定し、通信可能であると判断したときに、指示データを送信するように送信部１１を制御してもよい。
【００２３】
送信部１１は、指示データを電磁波に変換し、指示データを含む電磁波信号を送信アンテナ１２から送出する。この電磁波は、空中にはほとんど伝播しないが、生体を伝送可能なように設計される。ここで、生体とは、ユーザなどの人体である。人体は誘電体と見なすことができ、人体表面の電界を利用する表面波伝送によって、送信アンテナ１２と受信アンテナ２２との間での通信が可能である。すなわち本実施形態の通信方式は、人体を伝送媒体とする人体通信である。なお、本実施形態において送信装置Ｓ１と受信装置Ｒ１との間の通信に利用する電磁波については、たとえば人体通信（ＢＡＮ  Body Area Network）に関する標準規格であるIEEE802.15.6の規定を採用してもよい。
【００２４】
受信装置Ｒ１は、本実施形態では、ユーザが携帯可能な寸法、形状に製作され、たとえば平板状である。受信アンテナ２２は、受信装置Ｒ１の表面であって、ユーザが接触可能な位置に配設される。なお受信装置Ｒ１は、専用装置であってもよく、既存の携帯電話装置、スマートフォン装置、ＰＤＡ（Personal Digital Assistants）、タブレット型ＰＣ（Personal Computer）、ノート型ＰＣなどで実現することも可能である。
【００２５】
受信装置Ｒ１の受信部２１は、受信アンテナ２２を通じて受信した指示データを、制御部１０へ出力する。再生情報記憶部２４は、再生される候補となる複数の情報データを記憶するものである。制御部２０は、受信した指示データによって特定される情報データを、再生情報記憶部２４から抽出し、再生部２３へ出力する。再生部２３は、抽出された情報データを音声または画像に変換して再生する。再生部２３は、たとえば受信装置Ｒ１が平板状であるときの一方主面に設けられる画像再生用のディスプレイや、音声出力用のスピーカ、音声をイヤフォン出力させるためのイヤフォンジャックなどで構成される。
【００２６】
次に、前述した情報提供システムＦ１の適用例について説明する。図２は、本発明の第１の実施形態に係る情報提供システムＦ１を、水族館のガイダンスシステムに適用した状況を示す斜視図である。このガイダンスシステムは、水槽３Ａ，３Ｂ…内の生物の説明や展示内容の解説などの情報を、ユーザＭが携帯する受信装置Ｒ１で再生して、ユーザＭに提供するものである。
【００２７】
図２に示すように、水族館では、魚類をはじめとする生物を収容する多数の水槽３Ａ，３Ｂ…が、展示物として壁２に埋設されている。本実施形態では、各水槽３Ａ，３Ｂ…の近傍の壁２に、各水槽３Ａ，３Ｂ…と対応付けて送信装置Ｓ１，Ｓ１…を配置し、各送信装置Ｓ１の送信アンテナ１２を、各水槽３の手前の床１に配設する。送信アンテナ１２は、床１の表面に配設してもよく、あるいは、床１の表面に近い表層部分に埋設してもよい。
【００２８】
各送信装置Ｓ１には、対応付けられた水槽３Ａ，３Ｂ…を特定する指示データが、指示データ記憶部１３に記憶される。すなわち、送信装置Ｓ１が送信アンテナ１２から送信する指示データは、送信装置Ｓ１ごとに異なっている。
【００２９】
受信装置Ｒ１は、該情報提供システムＦ１のユーザＭである鑑賞者によって携帯される。受信アンテナ２２は、受信装置Ｒ１の表面に配設される。受信装置Ｒ１には、情報を再生して鑑賞者に提供するための再生部２３として、ディスプレイ、スピーカ、および、イヤフォンジャックなどが備えられる。受信装置Ｒ１の再生情報記憶部２４には、当該水族館のすべての水槽３Ａ，３Ｂ…の収容生物の説明や展示内容の解説などの情報データが、水槽単位で記憶される。
【００３０】
受信装置Ｒ１を携帯するユーザＭが、任意の水槽（たとえば水槽３Ａ）の前の床１における、送信アンテナ１２の配設領域内に立つと、ユーザＭが送信アンテナ１２と接触した状態となる。一方、ユーザＭは受信装置Ｒ１を携帯しているから、ユーザＭは受信アンテナ２２に接触した状態となっている。本実施形態では、ユーザＭである人体を誘電体と考え、送信アンテナ１２から受信アンテナ２２へのデータ伝送を、人体を伝送媒体とする人体通信により行うものとした。すなわち、受信装置Ｒ１を携帯するユーザＭが送信アンテナ１２に接することにより、指示データを含む電磁波信号が、送信アンテナ１２から、ユーザＭの体表を通じて、受信アンテナ２２に伝送される。
【００３１】
送信装置Ｓ１から送信される指示データは、ユーザＭの至近に位置している水槽３Ａを特定するものであり、受信装置Ｒ１は、この指示データを受信することにより、水槽３Ａに収容されている生物の説明など、水槽３Ａの展示内容に関する情報データを、再生情報記憶部２４から抽出する。そして、ディスプレイやスピーカなどの再生部２３で、抽出した情報データを再生して、ユーザＭに水槽３Ａの展示内容に関する情報を提供する。
【００３２】
次いで、ユーザＭが別の水槽（たとえば水槽３Ｂ）の前へ移動すると、ユーザＭは、別の送信装置Ｓ１の送信アンテナ１２に接することになり、受信装置Ｒ１が、別の送信装置Ｓ１から異なる指示データを人体通信により受信する。別の送信装置Ｓ１が送信する指示データは、水槽３Ｂを特定するものであるため、受信装置Ｒ１は、この指示データに基づき、水槽３Ｂの展示内容に関する情報データを再生情報記憶部２４から抽出し、再生部２３で再生する。
【００３３】
本実施形態の情報提供システムＦ１は、受信装置Ｒ１が送信装置Ｓ１からデータを受信できる範囲が、ユーザＭが送信アンテナ１２と接触可能な範囲に限定されるから、送信アンテナ１２どうしの区画を明確にしておけば、送信アンテナ１２を近接させて配置しても、受信装置Ｒ１が誤った指示データを受信するおそれがない。従来の無線通信方式によるデータ伝送は、異なる送信アンテナであっても、受信装置との間の距離に明確な差異が生じないときには、受信装置が誤った電波信号を混同して受信する可能性があるので、送信アンテナどうしの間には十分な距離を置く必要があり、狭い範囲に多数の送信アンテナを配置するのは困難であった。これに対し、本発明では、送信アンテナ１２を近接させて配設することが可能であるから、送信装置Ｓ１の設置密度を高めて、ユーザＭに対し、詳細で緻密な情報を、錯綜することなく提供することが可能である。
【００３４】
しかも本実施形態では、ユーザＭが送信アンテナ１２の配設領域に立つだけで、受信装置Ｒ１が対応する指示データを受信し、ユーザＭに適切な情報が自動的に提供される。すなわち、ユーザＭが水槽３Ａの前に立てば、水槽３Ａの展示内容に関する情報が自動的に再生され、水槽３Ｂの前に立てば、水槽３Ｂの展示内容に関する情報が自動的に再生されるから、ユーザＭは、受信装置Ｒ１において再生する情報を選択する作業を行う必要がない。
【００３５】
（第２の実施形態）
図３は、本発明の第２の実施形態に係る情報提供システムＦ２を、美術館のガイダンスシステムに適用した状況を示す斜視図である。本実施形態の情報提供システムＦ２は、鑑賞者であるユーザＭが、展示物である絵画４に近づいたときに、絵画４に関する情報を、ユーザＭが携帯する受信装置Ｒ１で再生させるものである。それゆえ、送信装置Ｓ１の指示データ記憶部１３に記憶される指示データは、絵画４を特定する情報であり、受信装置Ｒ１の再生情報記憶部２４に記憶される情報は、絵画、彫刻、工芸品など、美術館に展示されている展示物に関する情報である。
【００３６】
本実施形態における送信装置Ｓ１および受信装置Ｒ１の基本構成は、図１に示す構成と共通とすることができる。本実施形態は、送信装置Ｓ１の主要部を、絵画４が展示されている壁２に埋設し、送信アンテナ１２を、絵画４の手前側を囲むように設けた手すり５の表面または内部に配設したところを特徴とする。そして、送信アンテナ１２から受信アンテナ２２へのデータ伝送は、手すり５を介した人体通信によってなされるものとする。なお、送信アンテナ１２を手すり５の内部に配設する場合、手すり５は、送信アンテナ１２から出力される電磁波を遮断しない材質で製作される。
【００３７】
ユーザＭが、絵画４に接近して、手すり５に手など人体の一部を接触させると、手すり５の表面または内部に配設した送信アンテナ１２から、指示データを含む電磁波信号が送信され、この信号は、ユーザＭの人体表面を伝播して、ユーザＭが携帯する受信装置Ｒ１の受信アンテナ２２で受信される。受信装置Ｒ１は、受信した指示データに基づいて、絵画４に関する情報を再生情報記憶部２４から抽出し、これを再生部２３で再生し、ユーザＭに提供する。
【００３８】
このように、ユーザＭが体の一部を手すり５に接触させることにより、手すり５が取り囲む絵画４などの展示品の情報が、受信装置Ｒ１に自動的に再生されるから、別の展示品の情報が、誤って再生されるおそれがない。よって、送信装置Ｓ１の配設密度を高くすることが可能である。また、手すり５に接することで、再生される情報が特定されるから、ユーザＭが再生すべき情報を選択する作業が不要となる。
【００３９】
（第３の実施形態）
図４は、本発明の第３の実施形態に係る情報提供システムＦ３の概略構成を示すブロック図である。本実施形態の情報提供システムＦ３は、送信装置Ｓ２が、制御部１０、送信部１１、および、送信アンテナ１２とともに、再生すべき情報データを記憶する情報データ記憶部１４を有し、受信装置Ｒ２については、制御部２０、受信部２１、受信アンテナ２２、および、再生部２３を有し、前述した再生情報記憶部２４を省略したものである。
【００４０】
本実施形態では、送信装置Ｓ２から受信装置Ｒ２へ、情報データ記憶部１４が記憶する情報データを含む信号を送信し、受信装置Ｒ２は、受信した情報データを、再生部２３で再生する。これを図２に示す水族館のガイダンスシステムに当て嵌めてみると、各送信装置Ｓ１を、対応する水槽３Ａ，３Ｂ…の展示内容に関する情報データを記憶する送信装置Ｓ２に、それぞれ置き換えたものとなる。そして、たとえばユーザＭが水槽３Ａの前に立って、送信アンテナ１２に接触すると、送信装置Ｓ２から受信装置Ｒ２へ、水槽３Ａの展示内容に関する情報データを含む信号が、人体通信により伝送され、受信装置Ｒ２が、受信した情報データを再生する。これにより、ユーザＭに対し、水槽３Ａの展示内容に関する情報が提供される。
【００４１】
本実施形態では、受信装置Ｒ２が再生情報記憶部２４を持たないので、受信装置Ｒ２の構成の簡素化、小型化、軽量化を図ることができる。
【００４２】
（第４の実施形態）
図５は、本発明の第４の実施形態に係る情報提供システムＦ４の概略構成を示す平面図である。この情報提供システムＦ４の送信装置Ｓ２および受信装置Ｒ２は、図４に示す構成と共通とすることができる。ただし、送信装置Ｓ２の情報データ記憶部１４は、記憶データを外部から書換えることが可能なものとする。
【００４３】
本実施形態の情報提供システムＦ４は、たとえば美術館のガイダンスシステムに適用されるものであって、送信装置Ｓ２，Ｓ２…が、展示物である絵画４，４…が展示されている壁２の裏面側に、絵画４，４…と対応付けて配置され、送信アンテナ１２，１２…は、各絵画４，４…の手前側の床１に配設される。さらに、各送信装置Ｓ２を、別途設けた情報提供サーバ３０とハブ３１などを介して接続し、情報提供サーバ３０から各送信装置Ｓ２の情報データ記憶部１４それぞれに、対応する絵画４，４…に関する情報データが配信されるように構成する。
【００４４】
かかる構成の情報提供システムＦ４は、受信装置Ｒ２を携帯するユーザＭが、いずれかの絵画４の前に立つと、ユーザＭが床１の送信アンテナ１２と接することにより、送信装置Ｓ２に記憶されている絵画４に関する情報データが、人体通信により、受信装置Ｒ２に伝送される。受信装置Ｒ２は、受信した情報データを再生して、ユーザＭに、絵画４に関する情報を提供する。
【００４５】
本実施形態では、送信装置Ｓ２の情報データ記憶部１４に記憶される情報データを、外部の情報提供サーバ３０により書換え可能であるから、絵画４など展示物の変更に対応して、情報データの内容を書き換えるのが容易である。
【００４６】
（第５の実施形態）
図６Ａは、本発明の第５の実施形態に係る情報提供システムＦ５を、美術館のガイダンスシステムに応用した状況を示す斜視図、図６Ｂは、情報提供システムＦ５の主要部の構成を示す概略図である。
【００４７】
本実施形態の情報提供システムＦ５の送信装置Ｓ３および受信装置Ｒ３の基本構成は、図１に示すもの、または、図４に示すものと共通とすることができる。ただし本実施形態は、送信装置Ｓ３から受信装置Ｒ３へのデータ伝送を、近接通信方式（ＮＦＣ  Near Field Communication）により行うことを特徴とする。近接通信方式は、１０ｃｍ以下（または５０ｃｍ以下）のごく短い通信距離でデータ伝送を行うものであり、たとえばFelica(登録商標)やMifare(登録商標)などの規格を採用することができる。
【００４８】
近接通信方式によりデータ伝送を行うため、受信アンテナ２２は、受信装置Ｒ３の表面に配設し、送信装置Ｓ３の送信アンテナ１２は、ユーザＭが受信装置Ｒ３の受信アンテナ２２を容易に近接させることができる位置に配設する。
【００４９】
たとえば本実施形態では、展示されている絵画４の近傍に、送信装置Ｓ３と受信装置Ｒ３との間で近接通信方式によるデータ伝送を行うためのデータ通信ブロック１５を設置する。データ通信ブロック１５は、床１に立設される柱状体であって、送信装置Ｓ３を内蔵し、上端面１６に、送信装置Ｓ３の送信アンテナ１２を配設したものである。
【００５０】
他方、受信アンテナ２２は、受信装置Ｒ３を平板状としたときに、再生部２３を設けた一方主面とは反対側の主面に配設される。そして、図６Ｂに示すように、ユーザＭが、受信装置Ｒ３を、データ通信ブロック１５の上端面１６まで持って行き、受信アンテナ２２と送信アンテナ１２とを接触または１０ｃｍ以内に近接させる。これにより、送信装置Ｓ３および受信装置Ｒ３が図１の形態である場合は、送信装置Ｓ３から受信装置Ｒ３へ、絵画４を特定する指示データを含む信号が伝送され、受信装置Ｒ３は、受信した指示データにより特定される絵画４に関する情報データを再生情報記憶部２４から抽出し、これを再生部２３で再生する。
【００５１】
あるいは、送信装置Ｓ３および受信装置Ｒ３が図４の形態である場合は、送信装置Ｓ３から受信装置Ｒ３へ絵画４に関する情報データを含む信号が伝送され、受信装置Ｒ３は、受信した情報データに基づき、絵画４に関する情報を再生部２３で再生する。
【００５２】
本実施形態の情報提供システムＦ５は、ユーザＭが、受信装置Ｒ３の受信アンテナ２２を送信装置Ｓ３の送信アンテナ１２に接触または近接させることにより、目的とする情報を自動的に再生させることができるため、誤って他の情報を再生するおそれがない。またユーザＭが、再生すべき情報を選択する必要もない。
【００５３】
（その他の実施形態）
図１に示す情報提供システムＦ１において、受信装置Ｒ１が、別のネットワークと接続可能な通信手段をさらに有するものとし、送信装置Ｓ１が送信する指示データを、たとえばＵＲＬ（Uniform Resource Locator）などのネットワーク上の特定の情報源を指定するデータとすることもできる。この場合、受信装置Ｒ１は、受信した指示データに基づき、ネットワークに接続して、指定された情報源から必要とする情報データを再生情報記憶部２４にダウンロードし、再生部２３で再生する。あるいは、情報データを情報源からダウンロードしつつ再生する、ストリーミング再生を実行してもよい。
【００５４】
図１に示す情報提供システムＦ１において、設置環境に複数の放送電波を流し、受信装置Ｒ１に、複数の放送電波を受信可能な放送受信部を設けるとともに、送信装置Ｓ１が送信する指示データを、複数の放送電波のうちの１つを指定するデータとすることもできる。この場合、指示データを受信した受信装置Ｒ１は、指示データが指定する放送電波を受信するように放送受信部を同調させ、受信した放送電波を再生部２３で再生するものとする。
【００５５】
送信アンテナ１２については、人体通信により送信装置Ｓ１と受信装置Ｒ１とのデータ伝送を行うため、人体が接触可能な場所に配設される。配設場所は、図２の床１や図３の手すり５のほか、壁、柱、柵などの構造物や、椅子、ベンチ、テーブルなどの家具も可能である。さらには、展示物自体に送信アンテナ１２を埋設して、ユーザＭが展示物に触れることによって、受信装置Ｒ１に情報が再生されるように構成することも可能である。
【００５６】
本発明の適用対象は、水族館、動物園、植物園、美術館、博物館などの、展示物を人が鑑賞するための施設に限定されるものではなく、複数の対象物ごとに個別に情報を取得することが希望されるものであれば、適用対象となりうる。
【符号の説明】
【００５７】
１  床
２  壁
３Ａ，３Ｂ  水槽
４  絵画
５  手すり
１０  制御部
１１  送信部
１２  送信アンテナ
１３  指示データ記憶部
１４  情報データ記憶部
１５  データ通信ブロック
２０  制御部
２１  受信部
２２  受信アンテナ
２３  再生部
２４  再生情報記憶部
Ｆ１  情報提供システム
Ｆ２  情報提供システム
Ｆ３  情報提供システム
Ｆ４  情報提供システム
Ｆ５  情報提供システム
Ｒ１  受信装置
Ｒ２  受信装置
Ｒ３  受信装置
Ｓ１  送信装置
Ｓ２  送信装置
Ｓ３  送信装置
Ｍ  ユーザ
【図１】
2014057262.tif 000003
【図２】
2014057262.tif 000004
【図３】
2014057262.tif 000005
【図４】
2014057262.tif 000006
【図５】
2014057262.tif 000007
【図６Ａ】
2014057262.tif 000008
【図６Ｂ】
2014057262.tif 000009